(57)【要約】【解決手段】上部フレーム１と底部２とはね上げ側壁３と上部分割側壁４’と下部分割側壁４”とを有する折り畳みコンテナーにおいて折り畳みコンテナーが折り畳まれた状態において、上部フレームに形成された当接リブ１ｃとはね上げ側壁に形成された当接リブ３ｆとが、互いに、上下方向に一致して位置するよう配置され、また、はね上げ側壁に形成された当接リブが、上部分割側壁の嵌合部材４ｃに当接し、更に、下部分割側壁に形成された嵌合部材４ｃが、底部に当接するように構成したものである。【効果】上部フレームに上方から負荷が加わった際に、従来の折り畳みコンテナーのように、はね上げ側壁の強度や剛性を低下することなく、折り畳まれた状態の折り畳みコンテナーの変形や損傷を防止することができる。【選択図】図９
2008137713.tif 000002
【特許請求の範囲】
【請求項１】
上部フレームと底部とはね上げ側壁と上部分割側壁と下部分割側壁とを有する折り畳みコンテナーにおいて、折り畳みコンテナーが折り畳まれた状態において、上部フレームに形成された当接リブとはね上げ側壁に形成された当接リブとが、互いに、上下方向に一致して位置するよう配置され、また、はね上げ側壁に形成された当接リブが、上部分割側壁の嵌合部材に当接し、更に、下部分割側壁に形成された嵌合部材が、底部に当接するように構成されていることを特徴とする折り畳みコンテナー。
【請求項２】
上部分割側壁及び下部分割側壁に形成された嵌合部材が、張出部と嵌合部と相対する側壁部とにより形成されていることを特徴とする請求項１に記載の折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
従来、図１に示されているように、上部フレーム１と、底部２と、上部フレーム１の短辺部１ａにその上部水平部がヒンジ連結され、且つ、折り畳みコンテナーの内側方向に回動可能な側壁（以下、この側壁を、はね上げ側壁という。）３と、上部分割側壁４と、下部分割側壁４”とを有するとともに、上部分割側壁４’の上部水平部が、上部フレーム１の長辺部１ｂにヒンジ連結され．また、上部分割側壁４’の下部水平部と下部分割側壁４”の上部水平部とが互いにヒンジ連結され、更に、下部分割側壁４”の下部水平部が、底部２の長辺部２ａにヒンジ連結されている折り畳みコンテナーが知られている。
【０００３】
図１に示されているように、折り畳みコンテナーが箱型に組み立てられた状態においては、相対するはね上げ側壁３が、略垂直に立てられ、また、上部分割側壁４’と下部分割側壁４”とが、略面一状態で、且つ、略垂直に立てられている。
【０００４】
箱型に組み立てられた折り畳みコンテナーの略垂直状のはね上げ側壁３を、折り畳みコンテナーの内部方向に回動させて、図２に示されているように、略水平状態とし、次いで、上部分割側壁４’と下部分割側壁４”をヒンジ連結しているヒンジ連結部を、折り畳みコンテナーの内部方向に移動させて、上部分割側壁４’と下部分割側壁４”とを重ねることにより、箱型状態の折り畳みコンテナーを、図３に示されているように、高さの低いコンパクトな状態に折り畳むことができるように構成されている。また、底部２に対して上部フレーム１を持ち上げて、略水平状態に重ねられている上部分割側壁４’と下部分割側壁４”とを、互いに略面一になるように略垂直に立て、次いで、はね上げ側壁３を、略水平状態から垂直方向に回動させることにより、折り畳まれた状態の折り畳みコンテナーを、図１に示されているように、箱型に組み立てるように構成されている。
【０００５】
上述した折り畳みコンテナーが折り畳まれた状態においては、図３に示されているように、上部フレーム１の短辺部１ａの下端１ａ１が、底部２の短辺部２ｂの上端２ｂ１と当接し、また、上部フレーム１の長辺部１ｂの下端１ｂ１が、底部２の長辺部２ａの上端２ａ１と当接するように構成されている。
【０００６】
ところで、折り畳みコンテナーが折り畳まれた状態において、上部フレーム１、特に、その短辺部１ａに、上方から負荷が加わった場合には、上部フレーム１の短辺部１ａの下端１ａ１と底部２の短辺部２ｂの上端２ｂ１との当接がずれて、上部フレーム１の短辺部１ａが下降して、上部フレーム１が変形したり損傷するという問題があった。
【０００７】
このような、上部フレーム１の短辺部１ａの下端１ａ１と底部２の短辺部２ｂの上端２ｂ１との当接がずれて、上部フレーム１の短辺部１ａが下降することを防止するために、上部フレーム１の短辺部１ａに広巾部を形成するとともに、底部２の短辺部２ｂにも広巾部を形成し、折り畳みコンテナーが折り畳まれた際には、上述したように、上部フレーム１の短辺部１ａの下端１ａ１と底部２の短辺部２ｂの上端２ｂ１との当接及び上部フレーム１の長辺部１ｂの下端１ｂ１と底部２の長辺部２ａの上端２ａ１と当接に加えて、上部フレーム１の短辺部１ａに形成された広巾部と底部２の短辺部２ｂに形成された広巾部とが当接するように構成された折り畳みコンテナーが、特許文献１に開示されている。
【０００８】
【特許文献１】特開平８−１１３２３６号公報
【発明の開示】
【発明が解決しようとする課題】
【０００９】
上述した従来の折り畳みコンテナーにおいては、上部フレーム１の短辺部１ａに広巾部を形成したために、はね上げ側壁３には、広巾部が嵌合可能な嵌合凹部を形成する必要があり、このような嵌合凹部を、はね上げ側壁３に形成したために、はね上げ側壁３の強度や剛性が低下するという問題があった。
【００１０】
また、従来の折り畳みコンテナーにおいては、上部フレーム１の短辺部１ａに形成された広巾部と底部２の短辺部２ｂに形成された広巾部とが、共に、板材として形成されているために、上部フレーム１が、底部２に対して、水平方向に移動した場合に、上部フレーム１の短辺部１ａに形成された広巾部の下端と底部２の短辺部２ｂに形成された広巾部の上端とがずれてしまい、結局のところ、上部フレーム１の短辺部１ａが下降し、上部フレーム１が変形したり損傷するという問題があった。
【００１１】
本発明の目的は、上述した折り畳みコンテナーが有する課題を解決することにある。
【課題を解決するための手段】
【００１２】
本発明は、上述した目的を達成するために、上部フレームと底部とはね上げ側壁と上部分割側壁と下部分割側壁とを有する折り畳みコンテナーにおいて、第１には、折り畳みコンテナーが折り畳まれた状態において、上部フレームに形成された当接リブとはね上げ側壁に形成された当接リブとが、互いに、上下方向に一致して位置するよう配置され、また、はね上げ側壁に形成された当接リブが、上部分割側壁の嵌合部材に当接し、更に、下部分割側壁に形成された嵌合部材が、底部に当接するように構成したものであり、第２には、上部分割側壁及び下部分割側壁に形成された嵌合部材を、張出部と嵌合部と相対する側壁部とにより形成したものである。
【発明の効果】
【００１３】
折り畳みコンテナーが折り畳まれた状態において、上部フレームに形成された当接リブとはね上げ側壁に形成された当接リブとが、互いに、上下方向に一致して位置するよう配置され、また、はね上げ側壁に形成された当接リブが、上部分割側壁の嵌合部材に当接し、更に、下部分割側壁に形成された嵌合部材が、底部に当接するように構成したので、上部フレームに上方から負荷が加わった際に、従来の折り畳みコンテナーのように、はね上げ側壁の強度や剛性を低下することなく、折り畳まれた状態の折り畳みコンテナーの変形や損傷を防止することができる。
【００１４】
上部分割側壁及び下部分割側壁に形成された嵌合部材を、張出部と嵌合部と相対する側壁部とにより形成したので、嵌合部材の強度や剛性を高めることができるので、嵌合部材の変形や損傷を防止することができ、ひいては、折り畳まれた状態の折り畳みコンテナーの変形や損傷を、確実に防止することができる。
【発明を実施するための最良の形態】
【００１５】
以下に、本発明の実施例について説明するが、本発明の趣旨を越えない限り何ら、本実施例に限定されるものではない。なお、上述した図１〜図３に示されている上部フレーム１、底部２、はね上げ側壁３、上部分割側壁４’及び下部分割側壁４”は、本願の折り畳みコンテナーにおいても、共通の構成部材であるので、以下の本願の発明の説明においても、そのまま使用するものとする。
【００１６】
先ず最初に、図１〜図４を用いて、上部フレーム１について説明する。
【００１７】
上部フレーム１は、相対する短辺部１ａと相対する長辺部１ｂとから略額縁状に形成されており、短辺部１ａは、外側垂直板部１ａ１と、外側垂直板部１ａ１の上端から内側に延在する水平天板部１ａ２と、水平天板部１ａ２の先端から下方に、且つ、外側垂直板部１ａ１と略平行に延在する内側垂直板部１ａ３とから、短辺部１ａの長手方向に対して垂直な断面形状が、略逆Ｕ字状に形成されている。なお、内側垂直板部１ａ３の下端は、外側垂直板部１ａ１の下端より、上方に位置するように構成されている。同様に、長辺部１ｂも、外側垂直板部１ｂ１と、外側垂直板部１ｂ１の上端から内側に延在する水平天板部１ｂ２と、水平天板部１ｂ２の先端から下方に、且つ、外側垂直板部１ｂ１と略平行に延在する内側垂直板部１ｂ３とから、長辺部１ｂの長手方向に対して垂直な断面形状が、略逆Ｕ字状に形成されている。なお、本実施例においては、短辺部１ａの外側垂直板部１ａ１には、正面形状が略台形状の切り欠き凹部１ａ４が形成されている。なお、内側垂直板部１ｂ３の下端も、外側垂直板部１ｂ１の下端より、上方に位置するように構成されている。
【００１８】
外側垂直板部１ａ１と水平天板部１ａ２と内側垂直板部１ａ３から形成されている短辺部１ａの内部空間内の両端部付近には、水平天板部１ａ２の下面から垂下されているとともに、外側垂直板部１ａ１と内側垂直板部１ａ３とを架橋し、且つ、外側垂直板部１ａ１及び内側垂直板部１ａ３に略垂直な板状の当接リブ１ｃが形成されている。なお、当接リブ１ｃと略平行に、適当数の板状の隔壁リブ１ｄにより、短辺部１ａの内部空間を区画することにより、短辺部１ａの強度や剛性、ひいては、上部フレーム１の強度や剛性を上げるように構成することもできる。同様に、外側垂直板部１ｂ１と水平天板部１ｂ２と内側垂直板部１ｂ３から形成されている長辺部１ｂの内部空間を、適当数の板状の隔壁リブ（図示されていない。）により、区画することにより、長辺部１ｂの強度や剛性、ひいては、上部フレーム１の強度や剛性を上げるように構成することもできる。
【００１９】
Ｈ１は、上部フレーム１の短辺部１ａに所定の間隔を置いて配設された公知の雌ヒンジ部材であり、雌ヒンジ部材Ｈ１は、水平天板部１ａ２の下面から垂下されているとともに、外側垂直板部１ａ１と内側垂直板部１ａ３とを架橋し、且つ、外側垂直板部１ａ１及び内側垂直板部１ａ３に略垂直な板状の支持片ｈ１ａと支持片ｈ１ａの下端から水平方向に延在するヒンジピン受け部ｈ１ｂとから形成されており、ヒンジピン受け部ｈ１ｂの上面には凹部が形成されている。
【００２０】
１ｅは、上部フレーム１の長辺部１ｂの両端部付近に形成された凹部であり、凹部１ｅを構成する奥壁１ｅ１には、ヒンジピンＨ３が嵌入可能な透孔１ｅ２が穿設されている。
【００２１】
次に、図５及び図６を用いて、はね上げ側壁３について説明する。
【００２２】
はね上げ側壁３の上部水平フランジ３ａの中央部領域には、上部水平フランジ３ａの内側端部（折り畳みコンテナーを箱型に組み立てた際に、内側に位置する端部）３ａ１から、上部水平フランジ３ａに対して略垂直に上方に延在する垂直部３ｂ１と、垂直部３ｂ１の先端から外側に向かって延在する湾曲部３ｂ２と、半円板状の端部側部３ｂ３と、端部側部３ｂ３間に形成された半円板状の中間リブ３ｂ４とからなる中央水平部３ｂが形成されている。また、上部水平フランジ３ａの両端部付近にも、中央水平部３ｂと同様の上部水平フランジ３ａに対して略垂直に上方に延在する垂直部３ｃ１と、垂直部３ｃ１の先端から外側に向かって延在する湾曲部３ｃ２と、半円板状の端部側部３ｃ３と、端部側部３ｃ３間に形成された半円板状の中間リブ３ｃ４とからなる端部側水平部３ｃが形成されている。
【００２３】
端部側水平部３ｃの中央水平部３ｂ側の端部側部３ｃ３と中央水平部３ｂの端部側水平部３ｃ側の端部側部３ｂ３との間には、所定の間隙Ｗ１が形成されている。また、間隙Ｗ１を形成する端部側水平部３ｃの端部側部３ｃ３には、端部側部３ｃ３に対して垂直に、雄ヒンジ部材を構成するヒンジピンＨ２が形成されている。なお、ヒンジピンＨ２の先端と該先端と対向する中央水平部３ｂの端部側部３ｂ３との間には、上部フレーム１に形成された雌ヒンジ部材Ｈ１の支持片ｈ１ａが挿入可能な間隙が形成されている。
【００２４】
３ｄは、はね上げ側壁３の端部垂直フランジ３ｅと端部側水平部３ｃの端部垂直フランジ３ｅ側に位置する端部側水平部３ｃとを架橋するように形成された円筒部材であり、端部垂直フランジ３ｅには、円筒部材３ｄの中空部に連通する透孔３ｅ１が穿設されている。
【００２５】
３ｆは、端部側水平部３ｃの適当な箇所に形成された、上述した半円板状の端部側部３ｃ３と同様の半円板状に形成された当接リブであり、当接リブ３ｆは、図３に示されているように、折り畳みコンテナーが折り畳まれた際には、上に位置する上部フレーム１の短辺部１ａの内部空間内の形成された当接リブ１ｃの真下に位置するように構成されている。なお、３ｇは、はね上げ側壁３の端部垂直フランジ３ｅ付近に、端部垂直フランジ３ｅに沿って、且つ、上下方向に所定の間隔を置いて形成された、外側が開口された一対の嵌合凹部である。
【００２６】
上部フレーム１に形成された雌ヒンジ部材Ｈ１の支持片ｈ１ａを、はね上げ側壁３に形成されたヒンジピンＨ２の先端と該先端と対向する中央水平部３ｂの端部側部３ｂ３との間に形成された間隙に挿入するとともに、上部フレーム１に形成された雌ヒンジ部材Ｈ１のヒンジピン受け部ｈ１ｂの凹部に、はね上げ側壁３に形成されたヒンジピンＨ２を載置し、次いで、上部フレーム１の長辺部１ｂの両端部付近に形成された凹部１ｅの奥壁１ｅ１に穿設された透孔１ｅ２に、ヒンジピンＨ３を嵌入するとともに、ヒンジピンＨ３の先端部を、はね上げ側壁３の端部垂直フランジ３ｅに穿設された透孔３ｅ１及び円筒部材３ｄに嵌入することにより、上部フレーム１の短辺部１ａに、はね上げ側壁３の上部水平部をヒンジ連結するように構成されている。
【００２７】
次に、図１〜図３、図７及び図８を用いて、上部分割側壁４’と下部分割側壁４”について説明する。
【００２８】
上述したように、上部分割側壁４’の上部水平部が、公知のヒンジ部材を介して、上部フレーム１の長辺部１ｂにヒンジ連結されており、また、上部分割側壁４’の下部水平部と下部分割側壁４”の上部水平部とが、公知のヒンジ連結部材を介して、ヒンジ連結されており、更に、下部分割側壁４”の下部水平部が、公知のヒンジ連結部材を介して、底部２の長辺部２ａにヒンジ連結されている。
【００２９】
上部分割側壁４’と下部分割側壁４”は、実質的に、同一構造に成形されているので、以下においては、上部分割側壁４’について説明する。
【００３０】
上部分割側壁４’は、横長の方形状の板状部４ａを有しており、板状部４ａの外周には、板状部４ａを、外面（折り畳みコンテナーを箱型に組み立てた際に、外側に位置する面）４ａ１側から内面（折り畳みコンテナーを箱型に組み立てた際に、内側に位置する面）４ａ２側に膨出させることにより、板状部４ａの外周部には、平面状の周状段部４ａ３が形成されているとともに、周状段部３ａに囲まれた凹部４ａ４が形成されている。
【００３１】
上部分割側壁４’に端部垂直フランジ４ｂの内側端縁（折り畳みコンテナーを箱型に組み立てた際に、内側に位置する端縁）４ｂ１の中程には、端部垂直フランジ４ｂを延長することにより形成された張出部４ｃ１が形成されているとともに、張出部４ｃ１の先端の中央部には、板状部４ａの中央部方向に、且つ、張出部４ｃ１に対して略垂直に延在する嵌合部４ｃ２が形成されている。また、端部垂直フランジ４ｂに隣接して、端部垂直フランジ４ｂと略平行に端部側垂直フランジ４ｄが形成されているとともに、端部垂直フランジ４ｂと端部側垂直フランジ４ｄと間には、張出部４ｃ１を挟持するように、架橋リブ４ｅが形成されており、更に、架橋リブ４ｅの端部垂直フランジ４ｂ側部分を、張出部４ｃ１に連接するように、且つ、嵌合部４ｃ２に当接するように延在することにより、側壁部４ｃ３が形成されている。このように、張出部４ｃ１と嵌合部４ｃ２と相対する側壁部４ｃ３とにより嵌合部材４ｃが形成されている。なお、本実施例においては、張出部４ｃ１の側面形状（端部垂直フランジ４ｂ側から見た正面形状）が、略等脚台形状に形成されているとともに、等脚台形の相対する脚部に沿って、側壁部４ｃ３も傾斜して形成されている。なお、張出部４ｃ１を、方形状に形成することもできる。
【００３２】
図３に示されている折り畳まれた状態から、図１に示されている箱型に組み立てる際には、底部２に対して上部フレーム１を持ち上げて、略水平状態に重ねられている上部分割側壁４’と下部分割側壁４”を、互いに略面一になるように略垂直に立て、次いで、はね上げ側壁３を、略水平状態から垂直方向に回動させることになるが、はね上げ側壁３が略垂直に立てられる直前に、上部分割側壁４’及び下部分割側壁４”に形成された嵌合部材４ｃの嵌合部４ｃ２が、はね上げ側壁３に形成された嵌合凹部３ｇに嵌合されるように形成されている。このように、折り畳みコンテナーが箱型に組み立てられた際には、上部分割側壁４’及び下部分割側壁４”に形成された嵌合部材４ｃの嵌合部４ｃ２が、はね上げ側壁３に形成された嵌合凹部３ｇに嵌合されているので、上部分割側壁４’及び下部分割側壁４”が、箱型に組み立てられた折り畳みコンテナーの内部に収納されている物品により、外側に変形しようとした際に、嵌合部材４ｃの嵌合部４ｃ２が、嵌合凹部３ｇを形成する外側壁部３ｇ１に当接し、上部分割側壁４’及び下部分割側壁４”の外側への湾曲変形を防止するように構成されている。
【００３３】
次に、折り畳みコンテナーが折り畳まれた状態における上述した上部フレーム１の短辺部１ａに形成された当接リブ１ｃ、はね上げ側壁３の端部側水平部３ｃに形成された当接リブ３ｆ、上部分割側壁４’と下部分割側壁４”に形成された嵌合部材４ｃ及び底部２の所定部分との配置構成を、図３のＩ−Ｉ線に沿った垂直断面図である図９を用いて説明する。
【００３４】
折り畳みコンテナーが折り畳まれた状態においては、上部フレーム１の短辺部１ａに形成された当接リブ１ｃと、上部フレーム１の直下に位置するはね上げ側壁３の端部側水平部３ｃに形成された当接リブ３ｆとが、互いに、上下方向に一致して位置するように配置されており、また、上部分割側壁４’の平面状の周状段部４ａ３と下部分割側壁４”と平面状の周状段部４ａ３とが互いに当接するように重ねられているとともに、はね上げ側壁３の真下に位置する上部分割側壁４’に形成された嵌合部材４ｃの嵌合部４ｃ２に、はね上げ側壁３の端部側水平部３ｃに形成された当接リブ３ｆが当接し、且つ、上部分割側壁４’に形成された嵌合部材４ｃの下方に、下部分割側壁４”に形成された嵌合部材４ｃが位置し、更に、下部分割側壁４”の真下に位置する底部２の底板２ｃの上面に、下部分割側壁４”に形成された嵌合部材４ｃの嵌合部４ｃ２が当接するように構成されている。
【００３５】
上述したように、折り畳みコンテナーが折り畳まれた状態においては、上部フレーム１の短辺部１ａに形成された当接リブ１ｃと、上部フレーム１の直下に位置するはね上げ側壁３の端部側水平部３ｃに形成された当接リブ３ｆとが、互いに、上下方向に一致して位置するよう配置され、また、はね上げ側壁３の端部側水平部３ｃに形成された当接リブ３ｆが、上部分割側壁４’の嵌合部材４ｃに当接し、更に、上部分割側壁４’に形成された嵌合部材４ｃの下方に、下部分割側壁４”に形成された嵌合部材４ｃが位置し、更にまた、下部分割側壁４”に形成された嵌合部材４ｃが、底部２の底板２ｃに当接するように構成されているので、折り畳まれた状態の折り畳みコンテナーの上部フレーム１に、上方から負荷が加わった際には、負荷を、平面的に見て、互いに略重なるように配置された上部フレーム１の当接リブ１ｃ、はね上げ側壁３の当接リブ３ｆ、上部分割側壁４’の嵌合部材４ｃ、下部分割側壁４”の嵌合部材４ｃ及び底部２とで負担することになり、従って、従来の折り畳みコンテナーのように、はね上げ側壁３の強度や剛性を低下することなく、折り畳まれた状態の折り畳みコンテナーの変形や損傷を防止することができるとともに、上部フレーム１の短辺部１ａの下端１ａ１と底部２の短辺部２ｂの上端２ｂ１とがずれ、上部フレーム１の短辺部１ａと底部２の短辺部２ｂとが重なり合うようなことを防止することができる。上部フレーム１の短辺部１ａと底部２の短辺部２ｂとが重なり合っていると、折り畳まれた状態の折り畳みコンテナーを、箱型に組み立てる際に、上部フレーム１を持ち上げると、底部２も持ち上げられることになり、従って、上部フレーム１から底部２を分離しなければならず、折り畳みコンテナーの箱型への組み立て作業の作業性は悪化することになる。
【００３６】
なお、上述した実施例には、上部分割側壁４’に形成された嵌合部材４ｃの下方に、下部分割側壁４”に形成された嵌合部材４ｃが位置する例が示されているが、折り畳みコンテナーが折り畳まれた状態においては、上部分割側壁４’の平面状の周状段部４ａ３と下部分割側壁４”の平面状の周状段部４ａ３とが互いに当接するように重ねられているので、上部分割側壁４’の平面状の周状段部４ａ３と下部分割側壁４”の平面状の周状段部４ａ３との当接部で、上部フレーム１に加わる負荷を負担することができるので、上部分割側壁４’に形成された嵌合部材４ｃと下部分割側壁４”に形成された嵌合部材４ｃとが、ずれていてもよい。
【００３７】
また、上部分割側壁４’及び下部分割側壁４”に形成された嵌合部材４ｃを構成する相対する側壁部４ｃ３を省略することもできるが、側壁部４ｃ３を形成することにより、嵌合部材４ｃの強度や剛性を高めることができるので、嵌合部材４ｃの変形や損傷を防止することができ、ひいては、折り畳まれた状態の折り畳みコンテナーの変形や損傷を、確実に防止することができる。
【００３８】
更に、上部分割側壁４’及び下部分割側壁４”に形成された嵌合部材４ｃを構成する相対する側壁部４ｃ３を、端部垂直フランジ４ｂと端部側垂直フランジ４ｄと間に形成された架橋リブ４ｅに連接させることにより、嵌合部材４ｃの変形や損傷を、確実に防止することができ、ひいては、折り畳まれた状態の折り畳みコンテナーの変形や損傷を、なお確実に防止することができる。
【図面の簡単な説明】
【００３９】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーを構成する上部フレームの部分拡大斜視図である。
【図５】図５は、本発明の折り畳みコンテナーを構成するはね上げ側壁の斜視図である。
【図６】図６は、本発明の折り畳みコンテナーを構成するはね上げ側壁の部分拡大斜視図である。
【図７】図７は、本発明の折り畳みコンテナーを構成する上部分割側壁及び下部分割側壁の部分斜視図である。
【図８】図８は、本発明の折り畳みコンテナーを構成する上部分割側壁の部分拡大斜視図である。
【図９】図９は、図３のＩ−Ｉ線に沿った垂直断面図である。
【符号の説明】
【００４０】
Ｈ１・・・・・・・雌ヒンジ部材
Ｈ２・・・・・・・ヒンジピン
Ｈ３・・・・・・・ヒンジピン
１・・・・・・・・上部フレーム
１ｃ・・・・・・・当接リブ
２・・・・・・・・底部
３・・・・・・・・はね上げ側壁
３ｆ・・・・・・・当接リブ
４’・・・・・・・上部分割側壁
４”・・・・・・・下部分割側壁
４ｃ・・・・・・・嵌合部材
【図１】
2008137713.tif 000003
【図２】
2008137713.tif 000004
【図３】
2008137713.tif 000005
【図４】
2008137713.tif 000006
【図５】
2008137713.tif 000007
【図６】
2008137713.tif 000008
【図７】
2008137713.tif 000009
【図８】
2008137713.tif 000010
【図９】
2008137713.tif 000011